(57)【要約】【課題】頑丈で、撓みの少ない移動枠を備えた追い込みケージを提供することを目的とする。【解決手段】内外部より透視可能な直方体状に形成されたケージ本体１を設け、このケージ本体１の一面に開口部８を形成すると共に、この開口部８の四隅部内側に前後方向に向って４本のガイドレール９、１１を互いに平行となるように配設し、一方、ケージ本体１の開口部８に嵌め込まれ、内外部より透視可能な矩形状に形成された移動枠２を設け、この移動枠２の四隅部外側に、前記ケージ本体１の各ガイドレール９、１１に滑動できるよう係合する回転ローラ１９を配設して構成する。【選択図】          図１
2004305059.tif 000002
【特許請求の範囲】
【請求項１】
内外部より透視可能な直方体状に形成されたケージ本体を設け、このケージ本体の一面に開口部を形成すると共に、この開口部の四隅部内側に前後方向に向って４本のガイドレールを互いに平行となるように配設し、一方、ケージ本体の開口部に嵌め込まれ、内外部より透視可能な矩形状に形成された移動枠を設け、この移動枠の四隅部外側に、前記ケージ本体の各ガイドレールに滑動できるよう係合する回転ローラを配設したことを特徴とするペット用追い込みケージ。
【請求項２】
移動枠の四隅部外側にアームを介して約４５度傾斜の支持板を取付け、この支持板の両端に、略Ｌ型のガイドレールと係合する同傾斜の回転ローラをそれぞれ配設したことを特徴とする請求項１記載の追い込みケージ。
【請求項３】
移動枠の上部に手動の操作具を設けたことを特徴とする請求項１記載の追い込みケージ。
【請求項４】
移動枠の上部に固定紐を設けたことを特徴とする請求項１または３記載の追い込みケージ。
【発明の詳細な説明】
【０００１】
【発明の属する技術分野】
本発明は、ペット、特に犬に対して注射その他の処置を施す際に暴れるのを阻止できるようにした追い込みケージに関する。
【０００２】
【従来の技術】
従来のこの種ケージとしては、図６および図７に示した構成のものが知られている。
内外部より透視可能な直方体状に形成されたケージ本体ａを設け、このケージ本体ａの一面に開口部ｂを形成すると共に、ケージ本体ａの上部両側に、前後方向に向けて２本のガイドレールｃ、ｃを互いに平行となるよう配設し、一方、ケージ本体ａの開口部ｂに嵌め込まれ、内外部より透視可能な矩形状に形成された移動枠ｄを設け、この移動枠ｄの上部両側にガイドレールｃ、ｃと平行な支持板ｅ、ｅを取付け、それぞれの支持板ｅ、ｅの両端に、ガイドレールｃ、ｃに滑動可能な回転ローラｆ、ｆを配設したものである。
なお、図中ｇは、移動枠ｄを所定の前後位置でケージ本体ａで固定するチェン紐である。
【０００３】
【発明が解決しようとする課題】
しかしながら、前記した従来の追い込みケージは、移動枠ｄがケージ本体ａの上部両側の２本のガイドレールｃ、ｃに回転ローラｆ、ｆを介して、いわゆる上方のみ２点支持されているのに過ぎないため、例えば力強い大型犬等に使用した場合、移動枠ｄの下方を押されると外側へ撓み易く、これによってガイドレールｃ、ｃに対する回転ローラｆ、ｆの噛み合せに狂いが生じ、移動枠ｄの円滑な動きが阻害されるおそれがある。
【０００４】
本発明は、前記した従来技術の有する問題点を解消するもので、移動枠を本体ケージの四隅部で支持するよう構成することにより、頑丈で、撓みの少ない移動枠を備えた追い込みケージを提供することを目的とする。
【０００５】
【課題を解決するための手段】
前記目的を達成するために、本発明に係る追い込みケージは、請求項１では、内外部より透視可能な直方体状に形成されたケージ本体を設け、このケージ本体の一面に開口部を形成すると共に、この開口部の四隅部内側に前後方向に向って４本のガイドレールを互いに平行となるように配設し、一方、ケージ本体の開口部に嵌め込まれ、内外部より透視可能な矩形状に形成された移動枠を設け、この移動枠の四隅部外側に、前記ケージ本体の各ガイドレールに滑動できるよう係合する回転ローラを配設したことを特徴とする。
【０００６】
この請求項１の発明では、ケージ本体の四隅部内側に配設した４本のガイドレールに、移動枠の四隅部外側に配設した４組の回転ローラを滑動できるよう係合してあるため、頑丈であって、力強い大型犬に押されても、移動枠が外側に撓むようなことがなく、移動枠の円滑な動きが阻害されるおそれは少ない。
【０００７】
請求項２では、移動枠の四隅部外側にアームを介して約４５度傾斜の支持板を取付け、この支持板の両端に、略Ｌ型のガイドレールと係合する同傾斜の回転ローラをそれぞれ配設したことを特徴とする。
【０００８】
この発明では、ケージ本体に対して移動枠がその隅部４箇所で２個一組の約４５度傾斜の回転ローラを介して均等に支持されているため、各回転ローラは略Ｌ字型のガイドレール内面中央に同傾斜で係合する。したがって、各回転ローラはガイドレール内面を円滑に滑動できる。
【０００９】
請求項３では、移動枠の上部に手動の操作具を設けたことを特徴とする。
【００１０】
この発明では、操作具を把持することでケージ本体内で移動枠を前後方向に自在に移動させることができる。
【００１１】
請求項４では、移動枠の上部に固定紐を設けたことを特徴とする。
【００１２】
この発明では、使用中にペットの力で移動枠が押し戻されることがないように移動枠を紐でケージ本体内に固定できる。
【００１３】
【発明の実施の形態】
以下、本発明の実施の形態について図面を参照して詳細に説明する。
図１は、本発明に係る追い込みケージの分解傾斜図であり、図２は、同上の正面図であり、図３は、同上の使用状態を示す平面図であり、図４は、同上の要部である回転ローラとガイドレールを示す平面図であり、図５は、同上の側面図である。
【００１４】
図１および図２に示したように、本発明の追い込みケージＡは、ケージ本体１と移動枠２とを主要部材として構成されている。
【００１５】
ケージ本体１は、矩形状の底板部３、背枠部４、天枠部５および両側の扉枠部６と７とにより、正面を開口部８に形成された直方体状に形成されている。
【００１６】
底板部３両端と扉枠部６、７との各コーナー部の内側には、前後方向に向って略Ｌ字状のガイドレール９、９が互いに内向きで、かつ平行となるように配設されると共に、底板部３の前端両側には、移動枠２の離脱防止用のストッパ１０、１０が取付けられている。このストッパ１０、１０は、ゴム製のローラ状物にて形成されている。
【００１７】
天枠部５両端と扉枠部６、７との各コーナー部内側にも、前記ガイドレール９、９と同様、前後方向に向って略Ｌ字状のガイドレール１１、１１が互いに内向きで、かつ平行となるよう配設されている。このようにして直方体状のケージ本体１の四隅部内側に、合計４本のガイドレール９、９、１１、１１がそれぞれ内向きに対向配設されている。
【００１８】
扉枠部６、７は、その一側端をケージ本体１の外側枠１２の片側に蝶番機構１３により蝶持されると共に、他側端をケージ本体１の外側枠１２の反対側でロック機構１４によりロック可能となっている。
【００１９】
なお、背枠部４、天枠部５および扉枠部６、７は全て多数本のバー１５をペットが逃げられないように狭間隔で張設することで内外部より透視可能に形成されている。ケージ本体１の素材としては、耐久性の優れたステンレスが最適である。
【００２０】
一方、移動枠２は、ケージ本体１正面の開口部８に嵌め込まれる寸法で矩形状に形成されている。
【００２１】
この移動枠２の四隅部外側には、略くの字状に折曲したアーム１６の基部をねじ１６ｂ止めしてあり、これによりアーム１６の先端１６ａが約４５度の傾斜状態で突出している。そして、このアーム１６の先端１６ａには、これに直交するように支持板１７の中央部が固着されている。したがって、この支持板１７も幅方向にアーム１６の先端１６ａと同様約４５度に傾斜している。
【００２２】
また、支持板１７の前後両端には、矩形穴１８、１８が開設されており、これら矩形穴１８、１８に回転ローラ１９、１９が回転自在に嵌入、軸支されている。各回転ローラ１９、１９も支持板１７と同様約４５度傾斜すると共に、ケージ本体１の四隅部内側に配設された合計４本のガイドレール９、９、１１、１１の内面中央に滑動可能に係合している。
【００２３】
従って、移動枠２は、その四隅部外側に配設された回転ローラ１９、１９がケージ本体１の四隅部内側に配設された４本のガイドレール９、９、１１、１１に滑動可能に支持されるため、外力に対して強固であり、かつ円滑な動きも確保される。
【００２４】
さらに、移動枠２の上面両側には手動の操作具２０、２０が設けられている。この操作具２０、２０は、円柱状に形成され、その上端が天枠部５のバー１５を挿通して上方へ突出しており、ケージ本体１の外側で手動操作できるようになっている。
【００２５】
図中２１は、移動枠２の上面中央に結束して設けられた固定紐であり、２２はその固定紐２１をケージ本体１の後部に挟持、固定するストッパである。
【００２６】
なお、この移動枠２も、ケージ本体１と同様、多数本のバー２３をペットが逃げられないように狭間隔に張設することで内外部より透視可能に形成されると共に、ステンレスを素材として形成されている。
【００２７】
次に、本発明の作動について説明する。
移動枠２をケージ本体１の開口部８前端のストッパ１０、１０に当接する位置に保持させておく。この状態で扉枠部６をロック解除して蝶番機構１３を支点として開き、ペットａを入れる。
【００２８】
次いで、扉枠部６を閉じてからケージ本体１の外側から操作具２０、２０を把持して移動枠２を後方へ押すと、移動枠２の四隅部外側に配設された回転ローラ１９、１９がガイドレール９、９、１１、１１の内側中央の角部を滑動して後方へ移動するため、ケージ本体１内のペットａは後方に追い込まれる。
【００２９】
そして、この移動枠２の押圧力によりペットａの動きがある程度封じられるようになった時に固定紐２１をケージ本体１のストッパ２２に挟持、固定することで移動枠２をその位置で固定する（図３参照）。
【００３０】
こうしておいてケージ本体１の外側からペットａに注射その他の処置を施すものである。そして、この処理の終了後、固定紐２１をストッパ２２から外すことでフリーとなった移動枠２を前方へ押して初期の位置まで戻し、扉枠部６を開いてケージ内部のペットａを外へ出す。以下、同様の操作を繰り返すものである。なお、ペットａの出し入れは反対側の扉枠部７を開閉して行なうことができる。
【００３１】
【発明の効果】
以上詳述したように、本発明は、移動枠の四隅部外側に回転ローラを配設し、該各回転ローラを、ケージ本体の四隅部内側に配設されたガイドレールの内側に滑動可能に係合したもの、つまり移動枠とケージ本体はその四隅部同志の４点で支持されているため、使用中にペットの力に押されて移動枠が外側へ撓むことがなく、その結果、各回転ローラと各ガイドレールの噛み合せに狂いを生ずることがなく、手動による移動枠の円滑な動きが阻害されることがない。したがって、堅牢性が向上し、長期使用に耐えるものとなる。
【図面の簡単な説明】
【図１】本発明に係る追い込みケージの分解斜視図である。
【図２】同上の正面図である。
【図３】同上の使用状態を示す平面図である。
【図４】同上の要部である回転ローラとガイドレールを示す平面図である。
【図５】同上の側面図である。
【図６】従来の追い込みケージの平面図である。
【図７】同上のＸ−Ｘ線矢視断面図である。
【符号の説明】
Ａ        追い込みケージ
１        ケージ本体
２        移動枠
８        開口部
９、１１  ガイドレール
１６      アーム
１７      支持板
１９      回転ローラ
２０      操作具
２１      固定紐
【図１】
2004305059.tif 000003
【図２】
2004305059.tif 000004
【図３】
2004305059.tif 000005
【図４】
2004305059.tif 000006
【図５】
2004305059.tif 000007
【図６】
2004305059.tif 000008
【図７】
2004305059.tif 000009